(57)【要約】【課題】複数の垂木をまとめてユニット化したものを用いて屋根の施工をする場合において、ユニット間の間隔を容易に、かつ、短時間で定めることができるようにし、もって高所作業である屋根垂木取り付け作業の安全性を保ち、かつ、同作業の効率化を図る。【解決手段】複数本の垂木20と、該垂木20の間を連結する転び止め22と、を有する垂木ユニット10であって、前記転び止め22に相当する取り外し可能な部材である後付け転び止め部材23が仮留めされている。【選択図】図２
2019060114.tif 000002
【特許請求の範囲】
【請求項１】
複数本の垂木と、該垂木の間を連結する転び止めと、を有する垂木ユニットであって、
前記転び止めに相当する取り外し可能な部材である後付け転び止め部材が仮留めされていることを特徴とする垂木ユニット。
【請求項２】
前記後付け転び止め部材は、前記複数本の垂木のうち、一方の端に位置する垂木の外側側面に仮留めされていることを特徴とする請求項１記載の垂木ユニット。
【請求項３】
前記後付け転び止め部材は、前記複数本の垂木のうち、一方の端に位置する垂木の内側側面に仮留めされていることを特徴とする請求項１記載の垂木ユニット。
【請求項４】
前記後付け転び止め部材は、前記転び止めに仮留めされていることを特徴とする請求項１記載の垂木ユニット。
【請求項５】
前記後付け転び止め部材は、前記複数本の垂木のうち、一方の端に位置する垂木の外側側面における取り付け予定位置の近傍に仮留めされていることを特徴とする請求項２、３又は４記載の垂木ユニット。
【発明の詳細な説明】
【技術分野】
【０００１】
本発明は、住宅の屋根に施工される垂木をユニット化した垂木ユニットに関する。
【背景技術】
【０００２】
屋根に施工される垂木は通常、屋根荷重を支える必要上、幅に比べ成勝ちとなっている。そのため、垂木が側面方向に転倒することを防止する目的で、転び止めと称する部材を、垂木が支持されている母屋等の横架部材の上に、垂木の側面を支えるように固定する、ということが実施されている（下記特許文献１〜３参照）。
【０００３】
また、下記特許文献２に記載の技術では、複数の垂木間に転び止めの部材が固定された屋根パネルが開示されている。
【先行技術文献】
【特許文献】
【０００４】
【特許文献１】特開２００４−１１６１２７号公報
【特許文献２】特開２００３−１８４２１６号公報
【特許文献３】特開平８−２９６３０４号公報
【発明の概要】
【発明が解決しようとする課題】
【０００５】
上記特許文献２に記載の技術で開示されている屋根パネルは、複数の垂木をまとめて屋根に設置できるものであり、垂木を一本一本設置する場合に比べて施工の労力を削減できるものと思われる。
【０００６】
ところでこの屋根パネルは、１面の屋根について少なくとも２つを設置するものと考えられる。その場合、屋根パネル間に間隔を設けようとすると、通常の垂木を設置する場合と同様、所定の間隔となるよう長さを測って施工する必要がある。
【０００７】
本発明は、複数の垂木をまとめてユニット化したものを用いて屋根の施工をする場合において、ユニット間の間隔を容易に、かつ、短時間で定めることができるようにし、もって高所作業である屋根垂木取り付け作業の安全性を保ち、かつ、同作業の効率化を図ることを課題とする。
【課題を解決するための手段】
【０００８】
（１）第１の態様
上記の課題を解決すべく、本発明のうち第１の態様は、複数本の垂木と、該垂木の間を連結する転び止めと、を有する垂木ユニットであって、
前記転び止めに相当する取り外し可能な部材である後付け転び止め部材が仮留めされていることを特徴とする。
【０００９】
本件発明の垂木ユニットは、複数本の垂木をあらかじめユニット化したものであり、屋根の１面について、複数個の垂木ユニットを並べることで、当該屋根の１面に垂木を架設することを目的とするものである。このように垂木をユニット化することで、垂木を一本一本架設するのに比べて施工の労力や所要時間を削減することができる。
【００１０】
この垂木ユニットは、平行な複数本（好ましくは、３本以上）の垂木の間が、転び止めで連結されている構造を有している。この転び止めとは、架設した垂木が横転しないよう、垂木が架設される横架部材（たとえば、母屋又は棟木）の上において、垂木の側面に固定される部材である。
【００１１】
本件発明に係る垂木ユニットにおける転び止めは、垂木の間隔として設定される距離に相当する長さを有する板材として形成される。そして、この板材の小口が両側に位置する棟木の側面に固定されることとなっている。すなわち、この転び止めにより、複数の垂木が連結された形状を呈することになっている。そして、この転び止めの長さが、垂木の間隔を規定することにもなっている。換言すると、垂木ユニットが屋根の一部として架設された状態においては、転び止めが両端で接する垂木の横転を防ぐこととなっている
【００１２】
そして、隣接する垂木ユニット間の間隔、換言すると、隣接する垂木ユニットの端同士に位置する垂木の間に介在させることを目的として、当該間隔に相当する後付け転び止め部材が、垂木ユニットのどこかに仮留めされていることとなっている。
【００１３】
この仮留めとは、容易に取り外すことができるように止められていることをいう。たとえば、垂木ユニットの材の表面に後付け転び止め部材を両面テープで接着したり、当該材と後付け転び止め部材を紐で結んでおいたり、また、クリップで挟み留めておいたりすることが可能である。
【００１４】
このように後付け転び止め部材は垂木ユニットに対し仮留めされているため、建築現場へ垂木ユニットが搬入されてくるまでは、垂木ユニットと一体に運搬され、紛失する可能性は低い。また、後付け転び止め部材が垂木ユニットに仮留めされていることで、高所作業である垂木ユニットの装着作業者の元に、後付け転び止め部材が安全に運搬されることになる。そして、屋根に垂木ユニットが装着される際には、仮留めされている後付け転び止め部材を簡単に取り外すことができるので、それを、垂木ユニット間の転び止めと同様の位置に装着して、釘、ビス又は金具により母屋等に固定する際には、垂木ユニット間の転び止め部材を垂木ユニットの装着作業者が持って移動するなどの運搬を伴わず、安全に作業することができる。この後付け転び止め部材により、隣接する垂木ユニットとの間隔が一義的に決定されるのみならず、隣接する垂木ユニットの垂木の間で本来の転び止めとしても機能することともなっている。
【００１５】
（２）その他の態様
なお、前記第１の態様においては後付け転び止め部材が仮留めされる位置は特に限定されてはいなかった。これに対し、以下の態様では、後付け転び止め部材が仮留めされる位置が限定されている。
【００１６】
すなわち、本発明のうち第２の態様は、前記第１の態様の特徴に加え、前記後付け転び止め部材は、前記複数本の垂木のうち、一方の端に位置する垂木の外側側面に仮留めされていることを特徴とする。この態様では、後付け転び止め部材が設置される予定の垂木の外側側面に仮留めされているため、仮留めを取り外してすぐに後付け転び止め部材を設置することができる。
【００１７】
また、本発明のうち第３の態様は、前記第１の態様の特徴に加え、前記後付け転び止め部材は、前記複数本の垂木のうち、一方の端に位置する垂木の内側側面に仮留めされていることを特徴とする。さらに、本発明のうち第４の態様は、前記第１の態様の特徴に加え、前記後付け転び止め部材は、前記転び止めに仮留めされていることを特徴とする。この第３又は第４の態様では、仮留めされている位置が垂木ユニットの外側ではないため、運搬中に予期せぬ接触で後付け転び止め部材の仮留めが外れてしまうようなことがない。
【００１８】
また、本発明のうち第５の態様は、前記第２、第３又は第４の態様の特徴に加え、前記複数本の垂木のうち、一方の端に位置する垂木の外側側面における取り付け予定位置の近傍に仮留めされていることを特徴とする。なお、ここでいう「近傍」とは、高所作業する垂木ユニット装着作業者が、後付け転び止め部材の取り付け作業中に、仮留めを取り外すために移動もしくは危険で無理な姿勢をとることを必要とせず、その位置にあって安全で安定した姿勢のままで取り外すことが可能な範囲のことを指す。この態様では、後付け転び止め部材が、設置される予定の箇所の近傍に仮留めされているため、仮留めを取り外すときに移動したり危険な姿勢をとる必要がなく、すぐに後付け転び止め部材を設置することができるとともに、設置の際、後付け転び止め部材が仮留めされていることを失念するおそれも少ない。
【発明の効果】
【００１９】
本発明の各態様は上記のように構成されているので、複数の垂木をまとめてユニット化したものを用いて屋根の施工をする場合において、ユニット間の間隔を容易に、かつ、短時間で、かつ、安全に定めることができるようになる。
【００２０】
また、本発明の各態様は上記のようにユニット間の転び止め部材の単独の運搬を伴わないので、ユニット間の転び止め部材を屋根ユニット装着作業者の元へ安全に運搬することができる。
【図面の簡単な説明】
【００２１】
【図１】垂木ユニットの使用前の状態を示す平面図である。
【図２】図１の垂木ユニットの使用時の状態を示す平面図である。
【図３】図２の状態の垂木ユニットが屋根に設置された状態の家屋を斜視図で示す。
【図４】別の垂木ユニットの使用時の状態を示す平面図である。
【図５】図４の状態の垂木ユニットが屋根に設置された状態の家屋を斜視図で示す。
【発明を実施するための形態】
【００２２】
以下、本発明の実施の形態を、図面を参照しつつ説明する。
【００２３】
図１は、本実施の形態に係る垂木ユニット10の使用前の状態を示す平面図である。
【００２４】
垂木ユニット10は、複数本（図中では５本）の垂木20が、屋根に装着した状態での上端部分（図中の上方）及び下端（図中の下方）寄りの位置でそれぞれ長方形の板材である転び止め22で連結された構造を有する。なお、左から２本目及び３本目の垂木20の間隔は他の間隔より狭くなっており、この部分には下端寄りの転び止め22は設けられていない。
【００２５】
各垂木20は、その上端が、屋根に装着した状態で垂直となるように、斜めに切り落とされている（図３参照）。また、上端付近で母屋50に係止する箇所には直角三角形状の切り欠き21が形成されている（図３参照）。
【００２６】
垂木ユニット10の一方の側の端（図中では左端）の垂木20の外側面の、転び止め22が設けられている２箇所の付近にそれぞれ後付け転び止め部材23が、両面テープで仮留めされている。これらの後付け転び止め部材23は、施工時に仮留めされている位置から容易に取り外すことができ、図２に示すように、使用時には転び止め22と横並びの位置に設置される。この後付け転び止め部材23の長さは、隣接する垂木ユニット10との間隔に相当するものである（図５参照）。
【００２７】
なお、各垂木20の下端は鼻隠し24で連結されている。この鼻隠し24は、後付け転び止め部材23の長さとほぼ同じ長さだけ、一方向（図中では左方向）に突出している。
【００２８】
図３は、図２の状態の垂木ユニット10が家屋30の屋根31に設置された状態を斜視図で示すものである。この家屋30においては、妻側壁34の一方から、１階床32と連続するデッキ35が設けられており、その一部を覆うように、２階床33と連続するデッキ天井36も設けられている。
【００２９】
また、２階床33からは、妻側壁34の両方、その中間付近及びデッキ天井36の辺縁の４箇所から、それぞれ１対の束40が立設されている。これらの束40のうち、妻側壁34に設けられているものの上端には、水平なマグサ45が設置されている。これらの束40は、マグサ45が設けられている場合にはそのマグサ45を介して、また、マグサ45が設けられていない場合には直接、母屋50を支持している。さらに、軒側壁37の上端には軒桁55が設置され、その角は屋根31の傾斜と同角度に削がれた傾斜面56となっている。
【００３０】
この家屋30の屋根31に垂木ユニット10を設置する際には、まず、図１に示すような、後付け転び止め部材23が仮留めされている状態のまま、設置場所まで挙上し、図３に示すように、デッキ35が設けられていない方のマグサ45を、前記した、他より間隔の狭い垂木20の間に挟めるようにして、位置決めを行う。その上で、垂木20の切り欠き21を母屋50の角に係止させつつ、軒桁55の傾斜面56に垂木20の下面を接触させる。この状態で、上端寄りの転び止め22は、母屋50の上面の上に接触し、また、下端寄りの転び止め22は、軒桁55の傾斜面56に接触している。これらの転び止め22はビスや釘などで母屋50及び軒桁55に固定される。
【００３１】
そして、仮留めされている上側の後付け転び止め部材23を取り外し、左端の垂木20の左側面に端部を接するようにして、上側の転び止め22と同様に、母屋50の上面にこれを固定する。同様に、仮留めされている下側の後付け転び止め部材23も取り外し、左端の垂木20の左側面に端部を接するようにして、下側の転び止め22と同様に、軒桁55の傾斜面56にこれを固定する。
【００３２】
次いで、隣接する垂木ユニット10が屋根31に取り付けられる。この隣接する垂木ユニット10は、図４に示すように、垂木の数（３本）及び後に天窓が設置される開口部25が設けられている点、並びに、この開口部25で真ん中の垂木20が分断されている点で、図１及び図２に示す垂木ユニット10とは相違している。この垂木ユニット10においても、一方の側の端（図中では左端）の垂木20の外側面の、転び止め22が設けられている２箇所の付近にそれぞれ後付け転び止め部材23が、両面テープで仮留めされている。これらの後付け転び止め部材23は、施工時に仮留めされている位置から容易に取り外すことができ、図４に示すように、使用時には転び止め22と横並びの位置に設置される。
【００３３】
この図４に示す垂木ユニット10は、後付け転び止め部材23が仮留めされている状態のまま、設置場所まで挙上し、図５に示すように、先に固定されている後付け転び止め部材23の端に右端を突き合わせるようにして、位置決めを行う。その上で、垂木20の切り欠き21を母屋50の角に係止させつつ、軒桁55の傾斜面56に垂木20の下面を接触させる。この状態で、上端寄りの転び止め22は、母屋50の上面の上に接触し、また、下端寄りの転び止め22は、軒桁55の傾斜面56に接触している。これらの転び止め22はビスや釘などで母屋50及び軒桁55に固定される。
【００３４】
そして、仮留めされている上側の後付け転び止め部材23を取り外し、左端の垂木20の左側面に端部を接するようにして、上側の転び止め22と同様に、母屋50の上面にこれを固定する。同様に、仮留めされている下側の後付け転び止め部材23も取り外し、左端の垂木20の左側面に端部を接するようにして、下側の転び止め22と同様に、軒桁55の傾斜面56にこれを固定する。
【００３５】
以下、同様にして、他の垂木ユニット10が設置されていく。なお、他の垂木ユニット10も、取り付けられる部位に応じて、垂木の間隔や開口部の有無などを適宜変更され得るものである。もちろん、単一の垂木ユニット10で屋根31全体を構成することとしてもよい。
【００３６】
ここで、一方の端の転び止め22を、たとえば図２に示す後付け転び止め部材23のように初めから隣接する垂木ユニット10に向かって突出するように取り付けておいたとすると、この転び止め22は一方の小口面のみで垂木20と接することとなり、不安定なため破損や紛失のおそれ大である。それを防ぐため、現に母屋50や軒桁55に設置されるまで、後付け転び止め部材23は取り外しが容易な状態で図１に示すように仮留めされている。このように仮留めすることで、垂木ユニット10を屋根31まで挙上する間に、一方の端から突出した転び止め22をどこかにぶつけるなどして破損させたり落下させたりするおそれがなくなる。また、転び止め22を作業員がわざわざ垂木ユニット10とは別途に運搬したりする必要もなくなる。これにより、作業効率の向上のみならず、作業中の安全性も確保されることとなっている。
【００３７】
なお、後付け転び止め部材23が仮留めされる部位は、上記のように垂木20の外側面に限らず、垂木20の内側面であってもよい。いずれの場合も、取付予定位置の近傍に仮留めされることが望ましい。
【符号の説明】
【００３８】
10  垂木ユニット
20  垂木                  21  切り欠き              22  転び止め
23  後付け転び止め部材    24  鼻隠し                25  開口部
30  家屋                  31  屋根                  32  １階床
33  ２階床                34  妻側壁                35  デッキ
36  デッキ天井            37  軒側壁
40  束                    45  マグサ
50  母屋                  55  軒桁                  56  傾斜面
【図１】
2019060114.tif 000003
【図２】
2019060114.tif 000004
【図３】
2019060114.tif 000005
【図４】
2019060114.tif 000006
【図５】
2019060114.tif 000007